(57)【特許請求の範囲】
【請求項１】
キーマトリクス回路であって、
第１のキースキャン出力信号線と、
第２のキースキャン出力信号線と、
プルアップ抵抗を介して電源電圧が印加された複数のキーリターン入力信号線と、
前記第１のキースキャン出力信号線と各々の前記キーリターン入力信号線との間を電気的に接続する第１のキースイッチ群である複数のキースイッチと、
前記第２のキースキャン出力信号線と各々の前記キーリターン入力信号線との間を電気的に接続する第２のキースイッチ群である複数のキースイッチと、
前記第１のキースキャン出力信号線上には前記第１のキースキャン出力信号線に第１のキースイッチ群である複数のキースイッチがそれぞれ接続される複数の第１接続点と、
前記第２のキースキャン出力信号線上には前記第２のキースキャン出力信号線に第２のキースイッチ群である複数のキースイッチがそれぞれ接続される複数の第２接続点と、を備え、
隣り合う前記第１接続点間の位置をある第１位置とし、隣り合う前記第２接続点間の位置を第２位置としたときに、前記キースイッチを介し同じ前記キーリターン入力信号線に接続された前記第１位置または前記第２位置のいずれか一方の位置に信号制御抵抗が設けられ、かつ前記複数の第１位置に設けられた第１信号制御抵抗の抵抗値と前記複数の第２位置に設けられた第２信号制御抵抗の抵抗値とが異なることを特徴とするキーマトリクス回路。
【請求項２】
さらに、前記第１のキースキャン出力信号線、前記第２のキースキャン出力信号線に加え第３のキースキャン出力信号線が配置され、
前記第３のキースキャン出力信号線と各々の前記キーリターン入力信号線との間を電気的に接続する第３のキースイッチ群である複数のキースイッチと、
前記第３のキースキャン出力信号線上には前記第３のキースキャン出力信号線に第３のキースイッチ群である複数のキースイッチがそれぞれ接続される複数の第３接続点と、を備え、
前記第３接続点と前記第３接続点から前記第３のキースイッチを介して配される配線が前記キーリターン入力信号線と接続する点との間の位置を第３位置としたときに、前記第３位置には１つおきに第３信号制御抵抗が設けられ、かつ前記第３信号制御抵抗の抵抗値は、前記第１信号制御抵抗の抵抗値と前記第２信号制御抵抗の抵抗値とのいずれとも異なることを特徴とする請求項１に記載のキーマトリクス回路。
【請求項３】
さらに、前記第１のキースキャン出力信号線、前記第２のキースキャン出力信号線、前記第３のキースキャン出力信号線に加え第４のキースキャン出力信号線が配置され、
前記第４のキースキャン出力信号線と各々の前記キーリターン入力信号線との間を電気的に接続する第４のキースイッチ群である複数のキースイッチと、
前記第４のキースキャン出力信号線上には前記第４のキースキャン出力信号線に第４のキースイッチ群である複数のキースイッチがそれぞれ接続される複数の第４接続点と、を備え、
前記第４接続点と前記第４接続点から前記第４のキースイッチを介して配される配線が前記キーリターン入力信号線と接続する点との間の位置を第４位置としたときに、前記キースイッチを介し同じ前記キーリターン入力信号線に接続された前記第３位置に前記第３信号制御抵抗が設けられていない場合に前記第４位置に第４信号制御抵抗が設けられ、かつ前記第４信号制御抵抗の抵抗値は、前記第１信号制御抵抗の抵抗値、前記第２信号制御抵抗の抵抗値及び前記第３抵抗の抵抗値とのいずれとも異なることを特徴とする請求項２に記載のキーマトリクス回路。
【請求項４】
前記第３のキースイッチ群及び前記第４のキースイッチ群のうち、同じキーリターン入力信号線に接続された２つのキースイッチと、前記同じキーリターン入力信号線に隣接しない別のキーリターン入力信号線に接続されたキースイッチであって前記２つのキースイッチが接続されるキースキャン出力信号線に接続されている一方と他方のキースイッチのうちの一方のキースイッチと、を経由する回り込みルート、及び、前記他方のキースイッチだけを経由する通常ルートにおいて、前記回り込みルートの全体での抵抗値と前記通常ルートの全体での抵抗値が異なる抵抗値となるように前記回り込みルート上及び前記通常ルート上に位置する前記第３信号制御抵抗及び前記第４信号制御抵抗の抵抗値が選択されていることを特徴とする請求項３に記載のキーマトリクス回路。
【発明の詳細な説明】
【技術分野】
【０００１】
本発明は、キーマトリクス回路に関する。
【背景技術】
【０００２】
近年普及している携帯電話、カーナビゲーションのような電子機器類等の操作キー（例えば、テンキー）には、一般的にキーマトリクス回路が用いられている。このようなキーマトリクス回路が用いられている機器類は、その機能の向上に伴い操作が複雑化してきており、従来のようなキーを単独で使用するだけでは機器類が有する複数の機能全てに対応することが困難になってきている。
【０００３】
このため、キーを単独で使用するだけではなく、複数のキーを同時押下するような使い方を加えることで、キーの数を増やさずにより多くの機能に対応したキー操作を可能にすることが望まれている。しかしながら、キーマトリクス回路では、３個以上のキーを同時押下すると、押下されていない他のキーが押下された場合と、区別がつかなくなることがあり、正確に検出ができないという問題があった。
【０００４】
そのような課題を解決するために、従来、例えば、特許文献１には、全てのキースイッチに、抵抗入りのキースイッチを使用することで、３個以上のキーが同時押下されても、正確に押下されているキーを検出することが可能な構成が記載されている。
【先行技術文献】
【特許文献】
【０００５】
【特許文献１】特開２００９−３２２０３号公報
【発明の開示】
【発明が解決しようとする課題】
【０００６】
しかしながら、抵抗入りのキースイッチは、特殊な部品であるため高価であり、特許文献１に記載されている構成を採用すると、コストを低く抑えることが難しいという問題がある。一方で、通常のキースイッチに外付け抵抗を付加することで抵抗入りのキースイッチと同様の機能を実現するようにすれば安価に構成できる。このため、特許文献１に記載された抵抗入りのキースイッチを全て通常のキースイッチと外付け抵抗とを組み合わせた構成に置き換えれば、コストを低く抑えることが可能である。
【０００７】
ところが、キーマトリクス回路が用いられる操作キー等には、広い実装スペースを占有することが許されない場合が多く、このため、通常のキースイッチと外付け抵抗とを組み合わせた構成にすれば、新たに必要となる外付け抵抗の実装スペースの確保について問題が発生する。
【０００８】
本発明は、このような事情に鑑みなされたものであり、３個以上のキースイッチが同時押下された場合でも、正確に押下されているキースイッチを検出することが可能なキーマトリクス回路を、低コスト化が可能である通常のキースイッチと外付け抵抗とを用いた構成で実現しつつ、実装スペースの増加を抑制することを目的とする。
【課題を解決するための手段】
【０００９】
上記した課題を解決するために本発明は以下の構成によって把握される。
（１）本発明のキーマトリクス回路は、キーマトリクス回路であって、第１のキースキャン出力信号線と、第２のキースキャン出力信号線と、プルアップ抵抗を介して電源電圧が印加された複数のキーリターン入力信号線と、前記第１のキースキャン信号線と各々の前記キーリターン信号線との間を電気的に接続する第１のキースイッチ群である複数のキースイッチと、前記第２のキースキャン信号線と各々の前記キーリターン信号線との間を電気的に接続する第２のキースイッチ群である複数のキースイッチと、前記第１のキースキャン信号線上には前記第１のキースキャン信号線に第１のキースイッチ群である複数のキースイッチがそれぞれ接続される複数の第１接続点と、前記第２のキースキャン信号線上には前記第２のキースキャン信号線に第２のキースイッチ群である複数のキースイッチがそれぞれ接続される複数の第２接続点と、を備え、隣り合う前記第１接続点間の位置をある第１位置とし、隣り合う前記第２接続点間の位置を第２位置としたときに、前記キースイッチを介し同じ前記キーリターン入力信号線に接続された前記第１位置または前記第２位置のいずれか一方の位置に信号制御抵抗が設けられ、かつ前記複数の第１位置に設けられた第１信号制御抵抗の抵抗値と前記複数の第２位置に設けられた第２信号制御抵抗の抵抗値とが異なる。
【００１０】
（２）上記（１）の構成に加え、第３のキースキャン出力信号線が配置され、前記第３のキースキャン信号線と各々の前記キーリターン信号線との間を電気的に接続する第３のキースイッチ群である複数のキースイッチと、前記第３のキースキャン信号線上には前記第３のキースキャン信号線に第３のキースイッチ群である複数のキースイッチがそれぞれ接続される複数の第３接続点と、を備え、隣り合う前記第３接続点間の位置を第３位置としたときに、前記第３位置には１つおきに第３信号制御抵抗が設けられ、かつ前記第３信号制御抵抗の抵抗値は、前記第１信号制御抵抗の抵抗値と前記第２信号制御抵抗の抵抗値とのいずれとも異なる。
【００１１】
（３）上記（２）の構成に加え、第４のキースキャン出力信号線が配置され、前記第４のキースキャン信号線と各々の前記キーリターン信号線との間を電気的に接続する第４のキースイッチ群である複数のキースイッチと、前記第４のキースキャン信号線上には前記第４のキースキャン信号線に第４のキースイッチ群である複数のキースイッチがそれぞれ接続される複数の第４接続点と、を備え、隣り合う前記第４接続点間の位置を第４位置としたときに、前記キースイッチを介し同じ前記キーリターン入力信号線に接続された前記第３位置に信号制御抵抗が設けられていない場合に前記第４位置に信号制御抵抗が設けられ、かつ前記第４信号制御抵抗の抵抗値は、前記第１信号制御抵抗の抵抗値、前記第２信号制御抵抗の抵抗値及び前記第３抵抗の抵抗値とのいずれとも異なる。
【００１２】
（４）上記（３）の構成において、前記第３のキースイッチ群及び前記第４のキースイッチ群のうち、同じキーリターン入力信号線に接続された２つのキースイッチと、前記同じキーリターン入力信号線に隣接しない別のキーリターン入力信号線に接続されたキースイッチであって前記２つのキースイッチが接続されるキースキャン出力信号線に接続されている一方と他方のキースイッチのうちの一方のキースイッチと、を経由する回り込みルート、及び、前記他方のキースイッチだけを経由する通常ルートにおいて、前記回り込みルートの全体での抵抗値と前記通常ルートの全体での抵抗値が異なる抵抗値となるように前記回り込みルート上及び前記通常ルート上に位置する前記第３信号制御抵抗及び前記第４信号制御抵抗の抵抗値が選択されている。
【発明の効果】
【００１３】
本発明によれば、３個以上のキースイッチが同時押下された場合でも、正確に押下されているキースイッチを検出することが可能なキーマトリクス回路を、低コスト化が可能である通常のキースイッチと外付け抵抗とを用いた構成で実現しつつ、実装スペースの増加を抑制したキーマトリクス回路を提供することができる。
【図面の簡単な説明】
【００１４】
【図１】本発明の第１実施形態のキーマトリクス回路の構成を示す図である。
【図２】（ａ）は第１実施形態の動作説明の図であり、（ｂ）は（ａ）の等価回路を示した図である。
【図３】（ａ）は第１実施形態の動作説明の図であり、（ｂ）は（ａ）の等価回路を示した図である。
【図４】（ａ）は第１実施形態の動作説明の図であり、（ｂ）は（ａ）の等価回路を示した図である。
【図５】（ａ）は第１実施形態の動作説明の図であり、（ｂ）は（ａ）の等価回路を示した図である。
【図６】（ａ）は第１実施形態の動作説明の図であり、（ｂ）は（ａ）の等価回路を示した図である。
【図７】（ａ）は第１実施形態の動作説明の図であり、（ｂ）は（ａ）の等価回路を示した図である。
【図８】（ａ）は第１実施形態の動作説明の図であり、（ｂ）は（ａ）の等価回路を示した図である。
【図９】（ａ）は第１実施形態の動作説明の図であり、（ｂ）は（ａ）の等価回路を示した図である。
【図１０】（ａ）は第１実施形態の第１変形例の動作説明の図であり、（ｂ）は（ａ）の等価回路を示した図である。
【図１１】（ａ）は第１実施形態の第１変形例の動作説明の図であり、（ｂ）は（ａ）の等価回路を示した図である。
【図１２】（ａ）は第１実施形態の第１変形例の動作説明の図であり、（ｂ）は（ａ）の等価回路を示した図である。
【図１３】（ａ）は第１実施形態の第１変形例の動作説明の図であり、（ｂ）は（ａ）の等価回路を示した図である。
【図１４】（ａ）は第１実施形態の第１変形例の動作説明の図であり、（ｂ）は（ａ）の等価回路を示した図である。
【図１５】（ａ）は第１実施形態の第１変形例の動作説明の図であり、（ｂ）は（ａ）の等価回路を示した図である。
【図１６】（ａ）は第１実施形態の第１変形例の動作説明の図であり、（ｂ）は（ａ）の等価回路を示した図である。
【図１７】（ａ）は第１実施形態の第１変形例の動作説明の図であり、（ｂ）は（ａ）の等価回路を示した図である。
【図１８】第１実施形態の第２変形例を示す図である。
【図１９】第１実施形態の第３変形例を示す図である。
【図２０】第１実施形態の第４変形例を示す図である。
【図２１】（ａ）は第１実施形態の第３変形例の動作説明の図であり、（ｂ）は（ａ）の等価回路を示した図である。
【図２２】（ａ）は第１実施形態の第３変形例の動作説明の図であり、（ｂ）は（ａ）の等価回路を示した図である。
【図２３】（ａ）は第１実施形態の第３変形例の動作説明の図であり、（ｂ）は（ａ）の等価回路を示した図である。
【図２４】（ａ）は第１実施形態の第３変形例の動作説明の図であり、（ｂ）は（ａ）の等価回路を示した図である。
【図２５】（ａ）は第１実施形態の第３変形例の動作説明の図であり、（ｂ）は（ａ）の等価回路を示した図である。
【図２６】（ａ）は第１実施形態の第３変形例の動作説明の図であり、（ｂ）は（ａ）の等価回路を示した図である。
【図２７】（ａ）は第１実施形態の第３変形例の動作説明の図であり、（ｂ）は（ａ）の等価回路を示した図である。
【図２８】（ａ）は第１実施形態の第３変形例の動作説明の図であり、（ｂ）は（ａ）の等価回路を示した図である。
【図２９】（ａ）は第１実施形態の第３変形例の動作説明の図であり、（ｂ）は（ａ）の等価回路を示した図である。
【図３０】（ａ）は第１実施形態の第３変形例の動作説明の図であり、（ｂ）は（ａ）の等価回路を示した図である。
【図３１】（ａ）は第１実施形態の第３変形例の動作説明の図であり、（ｂ）は（ａ）の等価回路を示した図である。
【図３２】（ａ）は第１実施形態の第３変形例の動作説明の図であり、（ｂ）は（ａ）の等価回路を示した図である。
【図３３】（ａ）は第１実施形態の第３変形例の動作説明の図であり、（ｂ）は（ａ）の等価回路を示した図である。
【図３４】（ａ）は第１実施形態の第３変形例の動作説明の図であり、（ｂ）は（ａ）の等価回路を示した図である。
【図３５】（ａ）は第１実施形態の第３変形例の動作説明の図であり、（ｂ）は（ａ）の等価回路を示した図である。
【図３６】（ａ）は第１実施形態の第３変形例の動作説明の図であり、（ｂ）は（ａ）の等価回路を示した図である。
【図３７】（ａ）は第１実施形態の第３変形例の動作説明の図であり、（ｂ）は（ａ）の等価回路を示した図である。
【図３８】（ａ）は第１実施形態の第３変形例の動作説明の図であり、（ｂ）は（ａ）の等価回路を示した図である。
【図３９】（ａ）は第１実施形態の第３変形例の動作説明の図であり、（ｂ）は（ａ）の等価回路を示した図である。
【図４０】（ａ）は第１実施形態の第３変形例の動作説明の図であり、（ｂ）は（ａ）の等価回路を示した図である。
【図４１】（ａ）は第１実施形態の第３変形例の動作説明の図であり、（ｂ）は（ａ）の等価回路を示した図である。
【図４２】（ａ）は第１実施形態の第３変形例の動作説明の図であり、（ｂ）は（ａ）の等価回路を示した図である。
【図４３】（ａ）は第１実施形態の第３変形例の動作説明の図であり、（ｂ）は（ａ）の等価回路を示した図である。
【図４４】（ａ）は第１実施形態の第３変形例の動作説明の図であり、（ｂ）は（ａ）の等価回路を示した図である。
【図４５】（ａ）は第１実施形態の第３変形例の動作説明の図であり、（ｂ）は（ａ）の等価回路を示した図である。
【図４６】（ａ）は第１実施形態の第３変形例の動作説明の図であり、（ｂ）は（ａ）の等価回路を示した図である。
【図４７】（ａ）は第１実施形態の第３変形例の動作説明の図であり、（ｂ）は（ａ）の等価回路を示した図である。
【図４８】（ａ）は第１実施形態の第３変形例の動作説明の図であり、（ｂ）は（ａ）の等価回路を示した図である。
【図４９】（ａ）は第１実施形態の第３変形例を拡張した場合の問題点を説明する動作説明の図であり、（ｂ）は（ａ）の等価回路を示した図である。
【図５０】（ａ）は第２実施形態の動作説明の図であり、（ｂ）は（ａ）の等価回路を示した図である。
【図５１】（ａ）は第２実施形態の動作説明の図であり、（ｂ）は（ａ）の等価回路を示した図である。
【図５２】（ａ）は第２実施形態の動作説明の図であり、（ｂ）は（ａ）の等価回路を示した図である。
【発明の実施の形態】
【００１５】
以下、添付図面を参照して、本発明を実施するための形態（以下、本実施形態という）について詳細に説明する。なお、本実施形態の説明の全体を通して同じ要素には同じ番号を付している。
【００１６】
（第１実施形態の構成）
図１に本実施形態のキーマトリクス回路１０の構成が示されている。図１に示すように、本実施形態のキーマトリクス回路１０は、キーマトリクス部１１と、制御部１２とにより構成される。
【００１７】
キーマトリクス部１１は、２つのキースキャン出力信号線（スキャンラインＫＳ＿Ａ、スキャンラインＫＳ＿Ｂ）を有する。
以下では、説明の簡略化のために、特に断りの無い限り、スキャンラインＫＳ＿Ａを第１のキースキャン出力信号線と呼び、スキャンラインＫＳ＿Ｂを第２のキースキャン出力信号線と呼んで説明を行うが、スキャンラインＫＳ＿Ｂを第１のキースキャン出力信号線とした場合は、スキャンラインＫＳ＿Ａが第２のキースキャン出力信号線である。
【００１８】
また、以降、このスキャンラインＫＳ＿Ａ及びスキャンラインＫＳ＿Ｂを、それぞれ第１のキースキャン出力信号線及び第２のキースキャン出力信号線と呼ぶのに応じて、これらに関連する部分に関して、やはり「第１」、「第２」との名称で呼ぶ部分が出てくるが、この場合も、スキャンラインＫＳ＿Ｂを第１のキースキャン出力信号線とし、スキャンラインＫＳ＿Ａを第２のキースキャン出力信号線と読み替える場合は、これらに関連する部分に関して付与される「第１」、「第２」の表現を入れ替えるように解釈されるべきものである。
【００１９】
図１に示されるように、キーマトリクス部１１において、第１のキースキャン出力信号線（スキャンラインＫＳ＿Ａ）と第２のキースキャン出力信号線（スキャンラインＫＳ＿Ｂ）が配線されている。
【００２０】
そして、第１のキースキャン出力信号線（スキャンラインＫＳ＿Ａ）と第２のキースキャン出力信号線（スキャンラインＫＳ＿Ｂ）に対して複数のキーリターン入力信号線（リターンラインＫＲ１、ＫＲ２、ＫＲ３、ＫＲ４、ＫＲ５、ＫＲ６）が配線されている。  
【００２１】
さらに、キーマトリクス部１１は、押下されることで第１のキースキャン出力信号線（スキャンラインＫＳ＿Ａ）と各キーリターン入力信号線（リターンラインＫＲ１、ＫＲ２、ＫＲ３、ＫＲ４、ＫＲ５、ＫＲ６）との間を電気的に接続するキースイッチ（Ａ＿ＳＷ１、Ａ＿ＳＷ２、Ａ＿ＳＷ３、Ａ＿ＳＷ４、Ａ＿ＳＷ５、Ａ＿ＳＷ６）を備えている。
なお、第１のキースキャン出力信号線（スキャンラインＫＳ＿Ａ）との間に電気的に接続されている、これらのキースイッチをまとめて呼ぶ場合には、第１のキースイッチ群と呼ぶことにする。
【００２２】
具体的には、第１のキースイッチ群のそれぞれのキースイッチ（Ａ＿ＳＷ１、Ａ＿ＳＷ２、Ａ＿ＳＷ３、Ａ＿ＳＷ４、Ａ＿ＳＷ５、Ａ＿ＳＷ６）は、第１のキースイッチ群のそれぞれのキースイッチ（Ａ＿ＳＷ１、Ａ＿ＳＷ２、Ａ＿ＳＷ３、Ａ＿ＳＷ４、Ａ＿ＳＷ５、Ａ＿ＳＷ６）と、第１のキースキャン出力信号線（スキャンラインＫＳ＿Ａ）及びキーリターン入力信号線（リターンラインＫＲ１、ＫＲ２、ＫＲ３、ＫＲ４、ＫＲ５、ＫＲ６）とを接続する配線Ｌによって電気的に接続されている。
【００２３】
そして、第１のキースイッチ群のキースイッチ（Ａ＿ＳＷ１、Ａ＿ＳＷ２、Ａ＿ＳＷ３、Ａ＿ＳＷ４、Ａ＿ＳＷ５、Ａ＿ＳＷ６）からの配線Ｌと第１のキースキャン出力信号線（スキャンラインＫＳ＿Ａ）との接続点Ｐ同士の間にある複数の第１位置には、信号制御抵抗（ＲＡ１、ＲＡ２、ＲＡ３、ＲＡ４、ＲＡ５、ＲＡ６）が設けられている。
【００２４】
なお、この第１のキースキャン出力信号線（スキャンラインＫＳ＿Ａ）上の第１位置に設けられる信号制御抵抗（ＲＡ１、ＲＡ２、ＲＡ３、ＲＡ４、ＲＡ５、ＲＡ６）のことを第１信号制御抵抗と呼ぶこととし、特に断らない限り、第１信号制御抵抗はいずれも同じ抵抗値であるものとして説明を進める。
【００２５】
具体的には、キースイッチ（Ａ＿ＳＷ２）からの配線Ｌと第１のキースキャン出力信号線（スキャンラインＫＳ＿Ａ）との接続点Ｐ同士の間にある第１位置には、第１信号制御抵抗（ＲＡ２）が設けられており、キースイッチ（Ａ＿ＳＷ３）からの配線Ｌと第１のキースキャン出力信号線（スキャンラインＫＳ＿Ａ）との接続点Ｐ同士の間にある第１位置には、第１信号制御抵抗（ＲＡ３）が設けられており、順次、キースイッチ（Ａ＿ＳＷ４、Ａ＿ＳＷ５、Ａ＿ＳＷ６）についても、それぞれキースイッチ（Ａ＿ＳＷ３、Ａ＿ＳＷ４、Ａ＿ＳＷ５、Ａ＿ＳＷ６）からの配線Ｌと第１のキースキャン出力信号線（スキャンラインＫＳ＿Ａ）との接続点Ｐ同士の間にある第１位置には、それぞれ第１信号制御抵抗（ＲＡ４、ＲＡ５、ＲＡ６）が設けられている。尚、第１信号制御抵抗ＲＡ１は、通常出力ポートＫＳ＿Ａの起点に抵抗が設けられているため配置しなくともよい。
【００２６】
また、キーマトリクス部１１は、押下されることで第２のキースキャン出力信号線（スキャンラインＫＳ＿Ｂ）と各キーリターン入力信号線（リターンラインＫＲ１、ＫＲ２、ＫＲ３、ＫＲ４、ＫＲ５、ＫＲ６）との間を電気的に接続するキースイッチ（Ｂ＿ＳＷ１、Ｂ＿ＳＷ２、Ｂ＿ＳＷ３、Ｂ＿ＳＷ４、Ｂ＿ＳＷ５、Ｂ＿ＳＷ６）を備えている。
なお、第２のキースキャン出力信号線（スキャンラインＫＳ＿Ｂ）との間に電気的に接続されている、これらのキースイッチをまとめて呼ぶ場合には、第２のキースイッチ群と呼ぶことにする。
【００２７】
具体的には、第２のキースイッチ群のそれぞれのキースイッチ（Ｂ＿ＳＷ１、Ｂ＿ＳＷ２、Ｂ＿ＳＷ３、Ｂ＿ＳＷ４、Ｂ＿ＳＷ５、Ｂ＿ＳＷ６）は、第２のキースイッチ群のそれぞれのキースイッチ（Ｂ＿ＳＷ１、Ｂ＿ＳＷ２、Ｂ＿ＳＷ３、Ｂ＿ＳＷ４、Ｂ＿ＳＷ５、Ｂ＿ＳＷ６）と、第２のキースキャン出力信号線（スキャンラインＫＳ＿Ｂ）及びキーリターン入力信号線（リターンラインＫＲ１、ＫＲ２、ＫＲ３、ＫＲ４、ＫＲ５、ＫＲ６）とを接続する配線Ｌによって電気的に接続されている。
【００２８】
一方、本例では、第２のキースイッチ群のキースイッチ（Ｂ＿ＳＷ１、Ｂ＿ＳＷ２、Ｂ＿ＳＷ３、Ｂ＿ＳＷ４、Ｂ＿ＳＷ５、Ｂ＿ＳＷ６）からの配線Ｌと第２のキースキャン出力信号線（スキャンラインＫＳ＿Ｂ）との接続点Ｐ同士の間にある第２位置には、信号制御抵抗が設けられていない。
【００２９】
図１に示すように、各キーリターン入力信号線（リターンラインＫＲ１、ＫＲ２、ＫＲ３、ＫＲ４、ＫＲ５、ＫＲ６）には、それぞれプルアップ抵抗（Ｒ１、Ｒ２、Ｒ３、Ｒ４、Ｒ５、Ｒ６）を介して電源電圧ＶＤＤが印加されている。  
【００３０】
（キーマトリクス回路の基本動作）
以下では、簡単に、上記構成において、どのようにしてキースイッチの押下状態（キースイッチがＯＮの状態）、非押下状態（キースイッチがＯＦＦの状態）が検出されるのかについて基本動作を説明する。
【００３１】
先ず、各キーリターン入力信号線（リターンラインＫＲ１、ＫＲ２、ＫＲ３、ＫＲ４、ＫＲ５、ＫＲ６）には、それぞれプルアップ抵抗（Ｒ１、Ｒ２、Ｒ３、Ｒ４、Ｒ５、Ｒ６）を介して電源電圧ＶＤＤが常に印加されている。
【００３２】
制御部１２には、図示を省略した６個のＡ／Ｄ（Analog／Digital）入力ポートを有するマイコンが実装されており、その入力ポートに、それぞれの各キーリターン入力信号線（リターンラインＫＲ１、ＫＲ２、ＫＲ３、ＫＲ４、ＫＲ５、ＫＲ６）が接続されている。
従って、いずれのキースイッチもＯＦＦの場合、つまり、押下されていない場合には、それぞれの入力ポートでは、印加されている電源電圧ＶＤＤに応じた電圧値（電位差）、つまり、電圧値がＨｉｇｈの状態が検出される。
【００３３】
一方、２つのキースキャン出力信号線（スキャンラインＫＳ＿Ａ、スキャンラインＫＳ＿Ｂ）では、スキャンを行いたいキースキャン出力信号線の電圧値をＬｏｗとし、他方のキースキャン出力信号線の電圧値をＨｉｇｈとする。この動作は、一定の時間間隔で切り替えが行われている。
【００３４】
つまり、第１のキースキャン出力信号線（スキャンラインＫＳ＿Ａ）の電圧値がＬｏｗで第２のキースキャン出力信号線（スキャンラインＫＳ＿Ｂ）の電圧値がＨｉｇｈの状態が一定時間あり、このときにはスキャンを行っているキースキャン出力信号線は、第１のキースキャン出力信号線（スキャンラインＫＳ＿Ａ）である。
【００３５】
一定時間経過後、今度は、第１のキースキャン出力信号線（スキャンラインＫＳ＿Ａ）の電圧値がＨｉｇｈで第２のキースキャン出力信号線（スキャンラインＫＳ＿Ｂ）の電圧値がＬｏｗの状態とされ、このときにはスキャンを行っているキースキャン出力信号線は、第２のキースキャン出力信号線（スキャンラインＫＳ＿Ｂ）である。
このように、キースキャン出力信号線のスキャンは、ある時間間隔で交互に繰り返されている。
【００３６】
ここで、スキャンを行っているキースキャン出力信号線が第１のキースキャン出力信号線（スキャンラインＫＳ＿Ａ）である場合について以下で説明する。
この場合、Ａ＿ＳＷ１、Ａ＿ＳＷ２、Ａ＿ＳＷ３、Ａ＿ＳＷ４、Ａ＿ＳＷ５、Ａ＿ＳＷ６のいずれのキースイッチもＯＦＦ、つまり、押下されていない時には、やはり、それぞれの入力ポートでは、印加されている電源電圧ＶＤＤに応じた電圧値（電位差）、つまり、電圧値がＨｉｇｈの状態が検出されている。
【００３７】
一方、例えば、キースイッチＡ＿ＳＷ２がＯＮ、つまり、押下されると、キースイッチＡ＿ＳＷ２を介して、第１のキースキャン出力信号線（スキャンラインＫＳ＿Ａ）とリターンラインＫＲ２のキーリターン入力信号線とは導通することになる。
このため、第１のキースキャン出力信号線（スキャンラインＫＳ＿Ａ）の電圧値Ｌｏｗを受けてリターンラインＫＲ２のキーリターン入力信号線の電圧値もＬｏｗとなる。
【００３８】
リターンラインＫＲ２のキーリターン入力信号線には、Ａ＿ＳＷ２とＢ＿ＳＷ２のキースイッチが接続されているが、スキャン中のキースキャン出力信号線は、第１のキースキャン出力信号線（スキャンラインＫＳ＿Ａ）であるので、これに対応したキースイッチはＡ＿ＳＷ２である。
【００３９】
従って、第１のキースキャン出力信号線（スキャンラインＫＳ＿Ａ）をスキャンしている時に、リターンラインＫＲ２のキーリターン入力信号線の電圧値（電位差）が変化すると、キースイッチＡ＿ＳＷ２がＯＮ、つまり、押下されていることが検出される。
同様に、キースイッチＡ＿ＳＷ１だけがＯＮ、つまり、押下されている場合も、基本的には上記キースイッチＡ＿ＳＷ２の動作と同じ動作でキースイッチＡ＿ＳＷ１が押下さられていることが検出されることになる。
【００４０】
その他のキースイッチが押下されている場合も、基本的な動作、つまり、どのキースキャン出力信号線をスキャンしている時に、どのキーリターン入力信号線の電圧値（電位差）の変化が検出されるのかによって、どのキースイッチがＯＮ、つまり、押下されているのかが判断される。
【００４１】
（複数のキースイッチが同時押下された時の動作）
本発明の基本的な動作は、上記で説明した通りであり、以下では、同時に複数のキースイッチがＯＮ、つまり、押下される場合について説明する。
【００４２】
図２（ａ）は、図１と基本的に同じ回路図を示しているが、信号の流れを見やすくするために、キースキャン出力信号線（スキャンラインＫＳ＿Ａ、ＫＳ＿Ｂ）とキーリターン入力信号線（リターンラインＫＲ１、ＫＲ２、ＫＲ３、ＫＲ４、ＫＲ５、ＫＲ６）の部分だけを主に示し、制御部１２及びプルアップ抵抗（Ｒ１、Ｒ２、Ｒ３、Ｒ４）などを省略して図示している。
なお、以降の図においても、図２（ａ）と同様に、制御部１２及びプルアップ抵抗（Ｒ１、Ｒ２、Ｒ３、Ｒ４）などを省略して図示を行う。
【００４３】
まず、隣接する４つのキースイッチＡ＿ＳＷ１、Ａ＿ＳＷ２、Ｂ＿ＳＷ１、Ｂ＿ＳＷ２のうちの複数（３つ）のキースイッチが同時押下されている場合の動作について説明を行う。
【００４４】
最初に、図２（ａ）の斜めのハッチングが施されているキースイッチＡ＿ＳＷ１、Ａ＿ＳＷ２、Ｂ＿ＳＷ１が同時押下されている状況を想定して説明を進める。
なお、上記のキーマトリクス回路の基本動作では、電圧値が変化していく様子で説明したが、説明の簡略化のため、スキャン信号という表現を用いて、信号の流れとして説明を行う。
また、以降の図において、押下されているキースイッチについては斜めのハッチングを設け、そうでないキースイッチにはハッチングを設けないものとする。
【００４５】
図２には図示していないが、スキャンラインＫＳ＿Ａをスキャンする場合、つまり、スキャンラインＫＳ＿Ａにスキャン信号が出力された場合には、そのスキャン信号の流れ（電圧の変化の流れ）は、キースイッチＡ＿ＳＷ１とキースイッチＡ＿ＳＷ２を、それぞれ経由してキーリターン入力信号線（リターンラインＫＲ１、ＫＲ２）に入力されることになる。
【００４６】
この場合には、スキャンラインＫＳ＿Ａをスキャンしている時に、押下されているキースイッチＡ＿ＳＷ１、Ａ＿ＳＷ２に対応したキーリターン入力信号線（リターンラインＫＲ１、ＫＲ２）にスキャン信号が入力される（電圧値（電位差）の変化が検出される）ことになり、キースイッチＡ＿ＳＷ１、Ａ＿ＳＷ２が押下されていると判定される。これは、正しい判定状態であるので何ら問題はない。
【００４７】
一方、図２（ａ）に示されるように、スキャンラインＫＳ＿Ｂをスキャンするために、スキャンラインＫＳ＿Ｂからスキャン信号を出力（スキャンラインＫＳ＿Ｂの電圧値Ｌｏｗ）すると、キーリターン入力信号線のリターンラインＫＲ２にスキャン信号が入力される経路は、Ｂ＿ＳＷ２が１つだけ押下された場合と、Ａ＿ＳＷ１、Ａ＿ＳＷ２及びＢ＿ＳＷ１の３つが同時に押下された場合の２通りが考えられる。以下それぞれの場合について詳述する。
【００４８】
まず、通常の１つのキースイッチが押下される場合でリターンラインＫＲ２にスキャン信号が入力されるのは、図２（ａ）に示す実線の経路を経由する時、つまり、キースイッチＢ＿ＳＷ２が押下されている場合である。
なお、１つのキースイッチを押下する場合の方が一般的であるため、以降では、この場合のスキャン信号の経路のことを通常ルートと呼ぶ。
【００４９】
一方、図２（ａ）を見るとわかるとおり、この３つのキースイッチ（Ａ＿ＳＷ１、Ａ＿ＳＷ２、Ｂ＿ＳＷ１）を同時押下した場合には、スキャン信号は、点線で示す経路を経由してリターンラインＫＲ２に入力される。
なお、以降では、このような複数のキースイッチを経由するスキャン信号の経路のことを回り込みルートと呼ぶ。
【００５０】
今、実際に、押下されているのは、キースイッチ（Ａ＿ＳＷ１、Ａ＿ＳＷ２、Ｂ＿ＳＷ１）であるが、キースイッチＢ＿ＳＷ２は押下されているものと同じ回路となり、キースイッチＡ＿ＳＷ１、Ａ＿ＳＷ２、Ｂ＿ＳＷ１の同時押下なのか、Ｂ＿ＳＷ２の１つだけの押下なのか判定ができない(検出不能)ことになる。
【００５１】
以下では、上記のような検出不能の可能性がある２つのルートが存在する時の本構成の動作について、さらに説明する。
図２（ｂ）にスキャン信号の経路を直線的に示した等価回路を示しており、図２（ｂ）でもプルアップ抵抗Ｒ１や制御部１２等を省略して図示している。
なお、以降の図において（ｂ）として示す図は、特に断らない限り同図（ａ）の等価回路を示す図である。
【００５２】
図２（ｂ）の左側は、通常ルートの場合の等価回路を示しており、一方、図２（ｂ）の右側は、回り込みルートの等価回路を示している。
図２（ｂ）に示す通り、本発明の構成では、通常ルートには信号制御抵抗が存在せず、一方、回り込みルートには、第１信号制御抵抗ＲＡ２が存在する。
従って、リターンラインＫＲ２に入力されるスキャン信号は、通常ルートと回り込みルートとでは、この信号制御抵抗の有無の影響を受けるので異なる電圧値（電位差）として検出される。
【００５３】
そして、このキースイッチＡ＿ＳＷ１、Ａ＿ＳＷ２、Ｂ＿ＳＷ１、Ｂ＿ＳＷ２において、スキャンラインＫＳ＿Ｂをスキャンする時に、押下される可能性のあるキースイッチは、Ｂ＿ＳＷ１とＢ＿ＳＷ２であるので、この電圧値（電位差）の違いによって、どちらのキースイッチが押下されているのかが判断できるので検出不能を回避することができる。
【００５４】
ここで、キースイッチＡ＿ＳＷ１、Ａ＿ＳＷ２、Ｂ＿ＳＷ１の同時押下が検出できる原理を図２に沿って説明する。まずキースイッチＡ＿ＳＷ１の押下はＫＳ＿Ａラインから出力されたＬｏｗ信号が抵抗ＲＡ１とキースイッチＡ＿ＳＷ１を経由しＫＲ＿１に入力され、ＫＲ＿１は図示しない電源電圧ＶＤＤでプルアップされたプルアップ抵抗と抵抗ＲＡ１で分圧された電位となることによって検出される。またキースイッチＡ＿ＳＷ２の押下はＫＳ＿Ａラインから出力されたＬｏｗ信号が抵抗ＲＡ２とキースイッチＡ＿ＳＷ２を経由しＫＲ＿２に入力され、ＫＲ＿２は図示しない電源電圧ＶＤＤでプルアップされたプルアップ抵抗と抵抗ＲＡ２で分圧された電位となることによって検出される。さらにキースイッチＢ＿ＳＷ１の押下はＫＳ＿Ｂラインから出力されたＬｏｗ信号がキースイッチＢ＿ＳＷ１を経由しＫＲ＿２に入力され、ＫＲ＿１はＬｏｗレベルになることにより検出される。尚、ＫＳ＿ＡラインとＫＳ＿Ｂラインから出力されるＬｏｗ信号は、出力タイミングを異ならせる。
【００５５】
次に、図３（ａ）の斜めのハッチングが施されているキースイッチＡ＿ＳＷ１、Ａ＿ＳＷ２、Ｂ＿ＳＷ２が同時押下されている状況を想定した場合について見てみる。
ここでも、図示を省略しているが、スキャンラインＫＳ＿Ａをスキャンする時には、先ほど説明したのと同様の結果が得られるので正しい判定状態であり、何ら問題はない。
一方、スキャンラインＫＳ＿Ｂをスキャンする場合には、図３（ａ）に示すように、やはり、キーリターン入力信号線（リターンラインＫＲ１）に入力されるルートとして２つのルート、つまり、実線で示す通常ルートと点線で示す回り込みルートとが存在する。
【００５６】
しかしながら、本発明の構成では、図３（ｂ）に示すように、通常ルートの場合（図左側）には信号制御抵抗が存在せず、一方、回り込みルートの場合（図右側）には、第１信号制御抵抗ＲＡ２が存在する。
従って、キーリターン入力信号線（リターンラインＫＲ１）に入力されるスキャン信号は、通常ルートと回り込みルートとでは、異なる電圧値（電位差）が検出されることになるので、この電圧値（電位差）によって、どちらのキースイッチが押下されているのかが判断でき、検出不能を回避することが可能である。
【００５７】
次に、上記と同様に、隣接する４つのキースイッチＡ＿ＳＷ１、Ａ＿ＳＷ２、Ｂ＿ＳＷ１、Ｂ＿ＳＷ２において、キースイッチＢ＿ＳＷ１及びＢ＿ＳＷ２が押下されるとともに、キースイッチＡ＿ＳＷ１又はＡ＿ＳＷ２のいずれか１つが押下される複数（３つ）のキースイッチが同時押下されている場合の動作について説明を行う。
この場合、先ほどとは逆に、スキャンラインＫＳ＿Ｂをスキャンする場合には、検出不能を起こすような回り込みルートが発生しないため、問題はスキャンラインＫＳ＿Ａ側となる。
【００５８】
図４は、キースイッチＡ＿ＳＷ２、Ｂ＿ＳＷ１、Ｂ＿ＳＷ２を同時押下した場合を示しており、先ほどと同様に図４（ａ）で通常ルートと回り込みルートを示し、図４（ｂ）で通常ルートと回り込みルートの等価回路を示している。
この場合、図４（ｂ）を見るとわかるように、通常ルートでは、第１信号制御抵抗ＲＡ１だけが存在するに対して回り込みルートでは第１信号制御抵抗ＲＡ１及びＲＡ２が存在するため、やはり、検出不能を回避することが可能である。
【００５９】
同様に、図５に、キースイッチＡ＿ＳＷ１、Ｂ＿ＳＷ１、Ｂ＿ＳＷ２を同時押下した場合を示しているが、この場合でも、通常ルートでは第１信号制御抵抗ＲＡ１及びＲＡ２が存在するのに対し、回り込みルートでは、第１信号制御抵抗ＲＡ１だけとなるため、やはり、検出不能を回避することが可能である。
【００６０】
なお、上記では、キースイッチＡ＿ＳＷ１、Ａ＿ＳＷ２、Ｂ＿ＳＷ１、Ｂ＿ＳＷ２のうちの３つのキースイッチを同時押下する場合について示してきたが、キースイッチＡ＿ＳＷ２、Ａ＿ＳＷ３、Ｂ＿ＳＷ２、Ｂ＿ＳＷ３の場合であっても、同様に通常ルートと回り込みルートで抵抗の状態が異なることになるため、検出不能を回避することが可能である。
【００６１】
つまり、キースイッチＡ＿ＳＷ２、Ａ＿ＳＷ３、Ｂ＿ＳＷ２、Ｂ＿ＳＷ３において、キースイッチＡ＿ＳＷ２、Ａ＿ＳＷ３が押下されるとともに、キースイッチＢ＿ＳＷ２、Ｂ＿ＳＷ３のいずれか１つが押下される場合には、スキャンラインＫＳ＿Ｂをスキャンする場合に回り込みルートが発生するが、キースイッチＢ＿ＳＷ２が押下されている場合は、通常ルート（キースイッチＢ＿ＳＷ３だけを経由するルート）では、信号制御抵抗が存在しない一方、回り込みルートでは第１信号制御抵抗ＲＡ３が存在することになる。
【００６２】
逆に、キースイッチＢ＿ＳＷ３の方を押下し、キースイッチＢ＿ＳＷ２を押下しない場合には、通常ルート（キースイッチＢ＿ＳＷ２だけを経由するルート）では、信号制御抵抗が存在しない一方、回り込みルートでは第１信号制御抵抗ＲＡ３が存在することになる。
【００６３】
同様に、キースイッチＡ＿ＳＷ２、Ａ＿ＳＷ３、Ｂ＿ＳＷ２、Ｂ＿ＳＷ３において、キースイッチＢ＿ＳＷ２、Ｂ＿ＳＷ３が押下されるとともに、キースイッチＡ＿ＳＷ２、Ａ＿ＳＷ３のいずれか１つが押下される場合には、スキャンラインＫＳ＿Ａをスキャンする場合に回り込みルートが発生するが、この場合も通常ルートと回り込みルートとでは、介在する第１信号制御抵抗の数が異なることになるので検出不能を回避することができる。
【００６４】
具体的には、キースイッチＢ＿ＳＷ２、Ｂ＿ＳＷ３が押下されるとともに、キースイッチＢ＿ＳＷ２を押下した場合には、通常ルート（キースイッチＡ＿ＳＷ３だけを経由するルート）では、第１信号制御抵抗ＲＡ１、ＲＡ２、ＲＡ３が存在するのに対し、回り込みルートでは第１信号制御抵抗ＲＡ１、ＲＡ２だけが存在することになる。
【００６５】
キースイッチＢ＿ＳＷ２、Ｂ＿ＳＷ３が押下されるとともに、キースイッチＢ＿ＳＷ３を押下した場合には、通常ルート（キースイッチＡ＿ＳＷ２だけを経由するルート）では第１信号制御抵抗ＲＡ１、ＲＡ２だけが存在するのに対し、回り込みルートでは第１信号制御抵抗ＲＡ１、ＲＡ２、ＲＡ３が存在することになる。
【００６６】
さらに、上下２つの隣接する４つのキースイッチ間（例えば、キースイッチＡ＿ＳＷ３、Ａ＿ＳＷ４、Ｂ＿ＳＷ３、Ｂ＿ＳＷ４の間や、キースイッチＡ＿ＳＷ４、Ａ＿ＳＷ５、Ｂ＿ＳＷ４、Ｂ＿ＳＷ５の間など）でも同様のことが起こるので、検出不能を回避することが可能になっている。
【００６７】
次に、離れた位置での３つのキースイッチの同時押下について見てみる。
図６及び図７はキースイッチＡ＿ＳＷ１、Ａ＿ＳＷ３、Ｂ＿ＳＷ１、Ｂ＿ＳＷ３において、キースイッチＡ＿ＳＷ１、Ａ＿ＳＷ３を押下するとともに、キースイッチＢ＿ＳＷ１、Ｂ＿ＳＷ３のどちらか一方を押下するスキャンラインＫＳ＿Ｂをスキャンするときに回り込みが発生する場合を示す図であるが、この場合でも通常ルートには、信号制御抵抗が存在せず、一方、回り込みルートでは第１信号制御抵抗ＲＡ２、ＲＡ３が存在し、検出不能を回避することが可能である。
【００６８】
なお、より離れたキースイッチ、例えば、キースイッチＡ＿ＳＷ１、Ａ＿ＳＷ４、Ｂ＿ＳＷ１、Ｂ＿ＳＷ４の間であったとしても、キースイッチＡ＿ＳＷ１、Ａ＿ＳＷ４を押下するとともに、キースイッチＢ＿ＳＷ１、Ｂ＿ＳＷ４のどちらか一方を押下する場合には、上記と同様に回り込みが発生するスキャンラインＫＳ＿Ｂをスキャンするときの通常ルートには信号制御抵抗が存在せず、回り込みルートには第１信号制御抵抗が存在することになるので検出不能を回避することが可能であり、この状態は、さらに、離れたキースイッチ間（例えば、キースイッチＡ＿ＳＷ１、Ａ＿ＳＷ５、Ｂ＿ＳＷ１、Ｂ＿ＳＷ５の間や、キースイッチＡ＿ＳＷ１、Ａ＿ＳＷ６、Ｂ＿ＳＷ１、Ｂ＿ＳＷ６の間）でも同様であり、検出不能を回避することが可能になっている。
【００６９】
一方、図８及び図９はキースイッチＡ＿ＳＷ１、Ａ＿ＳＷ３、Ｂ＿ＳＷ１、Ｂ＿ＳＷ３において、キースイッチＢ＿ＳＷ１、Ｂ＿ＳＷ３を押下するとともに、キースイッチＡ＿ＳＷ１、Ａ＿ＳＷ３のどちらか一方を押下するスキャンラインＫＳ＿Ａをスキャンするときに回り込みが発生する場合を示す図であるが、この場合でも通常ルートと回り込みルートとでは存在する第１信号制御抵抗の数が異なることになるので、検出不能を回避することが可能である。
【００７０】
なお、より離れたキースイッチ、例えば、キースイッチＡ＿ＳＷ１、Ａ＿ＳＷ４、Ｂ＿ＳＷ１、Ｂ＿ＳＷ４の間であったとしても、キースイッチＢ＿ＳＷ１、Ｂ＿ＳＷ４を押下するとともに、キースイッチＡ＿ＳＷ１、Ａ＿ＳＷ４のどちらか一方を押下する場合には、上記と同様に回り込みが発生するスキャンラインＫＳ＿Ａをスキャンするときの通常ルートと回り込みルートとでは、存在する第１信号制御抵抗の数が異なることになるので、検出不能を回避することが可能である。
【００７１】
図２から図９を参照して、第１のキースイッチ群のキースイッチ（Ａ＿ＳＷ１、Ａ＿ＳＷ２、Ａ＿ＳＷ３、Ａ＿ＳＷ４、Ａ＿ＳＷ５、Ａ＿ＳＷ６）からの配線Ｌと第１のキースキャン出力信号線（スキャンラインＫＳ＿Ａ）との接続点Ｐの手前（出力ポート側）の第１のキースキャン出力信号線（スキャンラインＫＳ＿Ａ）上の複数の第１位置に信号制御抵抗（ＲＡ１、ＲＡ２、ＲＡ３、ＲＡ４、ＲＡ５、ＲＡ６）を設けた場合について見てきた。
【００７２】
しかしながら、第１実施形態のキースキャン出力信号線が、２つのキースキャン出力信号線（スキャンラインＫＳ＿Ａ、スキャンラインＫＳ＿Ｂ）である場合では、信号制御抵抗の配置は、第１のキースキャン出力信号線（スキャンラインＫＳ＿Ａ）上の第１位置に限定されるものではない。
【００７３】
上記の第１信号制御抵抗（ＲＡ１、ＲＡ２、ＲＡ３、ＲＡ４、ＲＡ５、ＲＡ６）のいずれかを省略（例えば、ＲＡ４、ＲＡ５、ＲＡ６）して、代わりに、図１０に示すように、第２のキースイッチ群のキースイッチ（Ｂ＿ＳＷ１、Ｂ＿ＳＷ２、Ｂ＿ＳＷ３、Ｂ＿ＳＷ４、Ｂ＿ＳＷ５、Ｂ＿ＳＷ６）からの配線Ｌと第２のキースキャン出力信号線（スキャンラインＫＳ＿Ｂ）との接続点Ｐの手前（出力ポート側）の第２のキースキャン出力信号線（スキャンラインＫＳ＿Ｂ）上の複数の第２位置であって、同じキーリターン入力信号線（ＫＲ４、ＫＲ５、ＫＲ６）に対応した第１位置に第１信号制御抵抗が設けられていない第２位置、つまり、省略され存在しなくなった第１信号制御抵抗（ＲＡ４、ＲＡ５、ＲＡ６）に対応する第２位置に第１信号制御抵抗（ＲＡ１、ＲＡ２、ＲＡ３）と異なる抵抗値の第２信号制御抵抗（ＲＢ４、ＲＢ５、ＲＢ６）が設けられるようになっていれば良い。
【００７４】
以下、具体的に、図１０に示す信号制御抵抗の配置を変更した第１変形例について、検出不能を回避できることについて見ていくことにする。
まず、図１０に示すように、先ほどの第１の信号制御抵抗ＲＡ４、ＲＡ５、ＲＡ６を省略し、その第１信号制御抵抗ＲＡ４、ＲＡ５、ＲＡ６の設けられていた第１位置に対応する同じキーリターン入力信号線（ＫＲ４、ＫＲ５、ＫＲ６）に対応した第２位置（第２のキースイッチ群のキースイッチ（Ｂ＿ＳＷ４、Ｂ＿ＳＷ５、Ｂ＿ＳＷ６）からの配線Ｌと第２のキースキャン出力信号線（スキャンラインＫＳ＿Ｂ）との接続点Ｐの手前（出力ポート側）の位置）に信号制御抵抗ＲＢ４、ＲＢ５、ＲＢ６を設けた場合について見ていく。
なお、この第２のキースキャン出力信号線上に設けられる信号制御抵抗を第２信号制御抵抗と呼ぶこととする。
【００７５】
図１０から図１３は、まず、上下２つの隣接する４つのキースイッチのうち３つのキースイッチを同時押下した場合を示すものであり、スキャンラインＫＳ＿Ｂをスキャンするときに回り込みルートが発生する場合を示している。
【００７６】
キースイッチＡ＿ＳＷ１、Ａ＿ＳＷ２、Ａ＿ＳＷ３、Ｂ＿ＳＷ１、Ｂ＿ＳＷ２、Ｂ＿ＳＷ３の部分については、先ほどまでと変わるところが無いので、そこから右側の場合について順次押下する上下２つの隣接する４つのキースイッチのグループをシフトさせていった場合を示している。
【００７７】
図１０から図１３に示すように、いずれの場合においても通常ルートと回り込みルートとで抵抗の状態が異なることになり、検出不能を回避できることがわかる。
なお、さらに、上下２つの隣接する４つのキースイッチのグループを右側にシフトしても同様に通常ルートと回り込みルートとで抵抗の状態が異なる状態が続く。
【００７８】
次に、図１０から図１３と同様の信号制御抵抗の配置において、上下２つの隣接する４つのキースイッチのうち３つのキースイッチを同時押下した場合にスキャンラインＫＳ＿Ａをスキャンするときに回り込みルートが発生する場合を、図１０から図１３と同様に、上下２つの隣接する４つのキースイッチのグループをシフトさせていった場合について、図１４から図１７に示しているが、この場合でも通常ルートと回り込みルートとで抵抗の状態が異なることになり、検出不能を回避できることがわかる。
なお、さらに、上下２つの隣接する４つのキースイッチのグループを右側にシフトしても同様に通常ルートと回り込みルートとで抵抗の状態が異なる状態が続く。
【００７９】
また、図示は省略するが、図６から図９を参照して説明した離れた位置で３つのキースイッチの同時押下の場合でも通常ルートと回り込みルートとで抵抗の状態が異なることを確認しており、検出不能を回避できるようになっている。
さらに、図１８（第２変形例）、図１９（第３変形例）、図２０（第４変形例）に示す信号制御抵抗（第１信号制御抵抗及び第２信号制御抵抗）の配置においても、同様に上下２つの隣接する４つのキースイッチのグループ内、並びに、離れた位置での３つのキースイッチの同時押下のどちらの場合においても通常ルートと回り込みルートとで抵抗の状態が異なることを確認しており、検出不能を回避できるようになっている。
【００８０】
例えば、図１９（第３変形例）の信号制御抵抗の配置の場合について、検出不能を回避することができることについて、念のため示しておく。
この図１９に示す第３変形例の信号制御抵抗の配置は、第１のキースイッチ群のキースイッチ（Ａ＿ＳＷ１、Ａ＿ＳＷ２、Ａ＿ＳＷ３、Ａ＿ＳＷ４、Ａ＿ＳＷ５、Ａ＿ＳＷ６）からの配線Ｌと第１のキースキャン出力信号線（スキャンラインＫＳ＿Ａ）との接続点Ｐの手前（出力ポート側）の第１のキースキャン出力信号線（スキャンラインＫＳ＿Ａ）上の複数の第１位置は、第１信号制御抵抗（ＲＡ１、ＲＡ３、ＲＡ５）を有する第１位置と第１信号制御抵抗を有しない第１位置が交互に現れるようになっている。
【００８１】
そして、第２のキースイッチ群のキースイッチ（Ｂ＿ＳＷ１、Ｂ＿ＳＷ２、Ｂ＿ＳＷ３、Ｂ＿ＳＷ４、Ｂ＿ＳＷ５、Ｂ＿ＳＷ６）からの配線Ｌと第２のキースキャン出力信号線（スキャンラインＫＳ＿Ｂ）との接続点Ｐの手前（出力ポート側）の第２のキースキャン出力信号線（スキャンラインＫＳ＿Ｂ）上の複数の第２位置であって同じキーリターン入力信号線（ＫＲ１、ＫＲ２、ＫＲ３、ＫＲ４、ＫＲ５、ＫＲ６）に対応した第１位置に第１信号制御抵抗が設けられていない第２位置、つまり、キーリターン入力信号線（ＫＲ２、ＫＲ４、ＫＲ６）に対応する第２位置には、第１信号制御抵抗と異なる抵抗値の第２の信号制御抵抗（ＲＢ２、ＲＢ４、ＲＢ６）が設けられている。
【００８２】
このような信号制御抵抗の配置である場合に、上下２つの隣接する４つのキースイッチのグループ内の３つのキースイッチの同時押下、及び、離れた３つのキースイッチの同時押下のあり得る基本的なパターンの全てについて、信号の経路を示す図及び等価回路図を示し、検出不能が回避できるようになっていることを以下に示す。
【００８３】
図２１から図２６は、上下２つの隣接する４つのキースイッチのグループの場合において、スキャンラインＫＳ＿Ｂをスキャンするときに回り込みルートが発生する場合を示しており、左側のキースイッチ（Ａ＿ＳＷ１、Ｂ＿ＳＷ１）側からそれ以上４つのキースイッチのグループを右側にシフトさせても、それまでに示すのと同じ状態の繰り返しとなる状態までの一連のパターンを示したものになっている。
【００８４】
同様に図２７から図３２は、スキャンラインＫＳ＿Ａをスキャンするときに回り込みルートが発生する場合について、それ以上４つのキースイッチのグループを右側にシフトさせても、それまでに示すのと同じ状態の繰り返しとなる状態までの一連のパターンを示したものになっている。
【００８５】
さらに、図３３から図４０は、離れた位置での３つのキースイッチの同時押下する場合を示しており、スキャンラインＫＳ＿Ｂをスキャンするときに回り込みルートが発生するキースイッチの一連のパターンを示したものになっており、図４１から図４８は、同様にスキャンラインＫＳ＿Ａをスキャンするときに回り込みルートが発生するキースイッチの一連のパターンを示したものになっている。
【００８６】
これら図２１から図４８を見るとわかるように、第１信号制御抵抗（ＲＡ１、ＲＡ３、ＲＡ５）と第２信号制御抵抗（ＲＢ２、ＲＢ４、ＲＢ６）が異なる抵抗値とされているので基本的に通常ルートと回り込みルートとの抵抗値（合成抵抗）が異なることになり、検出不能を回避することができる。
【００８７】
なお、図３７に示すような場合がまれにあるので、第１信号制御抵抗（ＲＡ１、ＲＡ３、ＲＡ５）の抵抗値ＢＲを基準に第２信号制御抵抗（ＲＢ２、ＲＢ４、ＲＢ６）は１／２倍及び２倍の抵抗値（（１／２）×ＢＲ、２×ＢＲ）を除く、第１信号制御抵抗と異なる抵抗値とすることが望ましい。
【００８８】
（第２実施形態）
第１実施形態では、２つのキースキャン出力信号線（スキャンラインＫＳ＿Ａ、スキャンラインＫＳ＿Ｂ）の場合について示してきたが、第２実施形態では、キースキャン出力信号線が４つの場合（スキャンラインＫＳ＿Ａ、スキャンラインＫＳ＿Ｂ、スキャンラインＫＳ＿Ｃ、スキャンラインＫＳ＿Ｄ）に拡張する方法について説明する。
【００８９】
例えば、詳細に示した図１９の場合のスキャンラインＫＳ＿Ａ、スキャンラインＫＳ＿Ｂをもう一セット増やすようにして図４９のように、４つのキースキャン出力信号線（スキャンラインＫＳ＿Ａ、スキャンラインＫＳ＿Ｂ、スキャンラインＫＳ＿Ｃ、スキャンラインＫＳ＿Ｄ）とした場合、図４９に示すように、通常ルートと回り込みルートとで同じ抵抗値となる場合が生じるため、検出不能を起こすことになる。
【００９０】
そこで、図５０に示すように、追加した２つのキースキャン出力信号線（スキャンラインＫＳ＿Ｃ、スキャンラインＫＳ＿Ｄ）においては、信号制御抵抗をキースキャン出力信号線上ではなく、キースイッチとキースキャン出力信号線（スキャンラインＫＳ＿Ｃ、スキャンラインＫＳ＿Ｄ）及びキーリターン入力信号線（ＫＲ１、ＫＲ２、ＫＲ３、ＫＲ４、ＫＲ５、ＫＲ６）とを接続する配線に信号制御抵抗を挿入するように設ける。
【００９１】
なお、キースイッチを基準とするとキースイッチとキースキャン出力信号線（スキャンラインＫＳ＿Ｃ、スキャンラインＫＳ＿Ｄ）及びキーリターン入力信号線（ＫＲ１、ＫＲ２、ＫＲ３、ＫＲ４、ＫＲ５、ＫＲ６）とを接続する配線は、キースイッチからキースキャン出力信号線（スキャンラインＫＳ＿Ｃ、スキャンラインＫＳ＿Ｄ）に向かう配線Ｌとキースイッチからキーリターン入力信号線（ＫＲ１、ＫＲ２、ＫＲ３、ＫＲ４、ＫＲ５、ＫＲ６）に向かう配線Ｌとがあるが、挿入される信号制御抵抗はどちらに向かう配線側に設けられても良い。
【００９２】
具体的には、図５０では、第２のキースキャン出力信号線（スキャンラインＫＳ＿Ｂ）の隣に配置されるように第３のキースキャン出力信号線（スキャンラインＫＳ＿Ｃ）を設け、押下されることで第３のキースキャン出力信号線（スキャンラインＫＳ＿Ｃ）と各キーリターン入力信号線（ＫＲ１、ＫＲ２、ＫＲ３、ＫＲ４、ＫＲ５、ＫＲ６）とを電気的に接続するキースイッチ（Ｃ＿ＳＷ１、Ｃ＿ＳＷ２、Ｃ＿ＳＷ３、Ｃ＿ＳＷ４、Ｃ＿ＳＷ５、Ｃ＿ＳＷ６）を設けるようにしている。
なお、第３のキースキャン出力信号線（スキャンラインＫＳ＿Ｃ）との間に電気接続されている、これらのキースイッチをまとめて呼ぶ場合には、第３のキースイッチ群と呼ぶことにする。
【００９３】
但し、図５０では、第２のキースキャン出力信号線（スキャンラインＫＳ＿Ｂ）の隣に配置されるように第３のキースキャン出力信号線（スキャンラインＫＳ＿Ｃ）を設けているが、第１のキースキャン出力信号線（スキャンラインＫＳ＿Ａ）の隣に配置されるように第３のキースキャン出力信号線（スキャンラインＫＳ＿Ｃ）を設けるようにしても良い。
【００９４】
また、第３のキースキャン出力信号線（スキャンラインＫＳ＿Ｃ）の隣に配置されるように第４のキースキャン出力信号線（スキャンラインＫＳ＿Ｄ）を設け、押圧されることで第４のキースキャン出力信号線（スキャンラインＫＳ＿Ｄ）と各キーリターン入力信号線（ＫＲ１、ＫＲ２、ＫＲ３、ＫＲ４、ＫＲ５、ＫＲ６）とを電気的に接続するキースイッチ（Ｄ＿ＳＷ１、Ｄ＿ＳＷ２、Ｄ＿ＳＷ３、Ｄ＿ＳＷ４、Ｄ＿ＳＷ５、Ｄ＿ＳＷ６）を設けるようにしている。
なお、第４のキースキャン出力信号線（スキャンラインＫＳ＿Ｄ）との間に電気接続されている、これらのキースイッチをまとめて呼ぶ場合には、第４のキースイッチ群と呼ぶことにする。
【００９５】
その上で、第３のキースイッチ群のキースイッチ（Ｃ＿ＳＷ１、Ｃ＿ＳＷ２、Ｃ＿ＳＷ３、Ｃ＿ＳＷ４、Ｃ＿ＳＷ５、Ｃ＿ＳＷ６）と第３のキースキャン出力信号線（スキャンラインＫＳ＿Ｃ）及びキーリターン入力信号線（ＫＲ１、ＫＲ２、ＫＲ３、ＫＲ４、ＫＲ５、ＫＲ６）とを接続する配線には、第３信号制御抵抗（ＲＣ１、ＲＣ３、ＲＣ５）が挿入されている配線と第３信号制御抵抗が挿入されていない配線とが交互に設けられているようになっている。
【００９６】
また、第３のキースイッチ群のキースイッチ（Ｃ＿ＳＷ１、Ｃ＿ＳＷ２、Ｃ＿ＳＷ３、Ｃ＿ＳＷ４、Ｃ＿ＳＷ５、Ｃ＿ＳＷ６）と第３のキースキャン出力信号線（スキャンラインＫＳ＿Ｃ）及びキーリターン入力信号線（ＫＲ１、ＫＲ２、ＫＲ３、ＫＲ４、ＫＲ５、ＫＲ６）とを接続する配線Ｌに第３信号制御抵抗が設けられていない配線で第３のキースイッチ群のキースイッチ（Ｃ＿ＳＷ２、Ｃ＿ＳＷ４、Ｃ＿ＳＷ６）が接続されているキーリターン入力信号線（ＫＲ２、ＫＲ４、ＫＲ６）に対応した第４のキースイッチ群のキースイッチ（Ｄ＿ＳＷ２、Ｄ＿ＳＷ４、Ｄ＿ＳＷ６）と第４のキースキャン出力信号線（スキャンラインＫＳ＿Ｄ）及びキーリターン入力信号線（ＫＲ２、ＫＲ４、ＫＲ６）とを接続する配線Ｌには、第４信号制御抵抗（ＲＤ２、ＲＤ４、ＲＤ６）が挿入された配線が設けられているようになっている。
このようにすることで、図５０に示す通り、図４９で示した検出不能を回避することが可能となる。
【００９７】
ところで、図５０に示した信号制御抵抗の配置の場合、図５１に示すような３つのキースイッチを同時押下する場合、通常ルートには第３の信号制御抵抗（ＲＣ１）が存在し、回り込みルートには第２の信号制御抵抗（ＲＢ２）が存在するが、これらの信号制御抵抗が同じ抵抗値を有する場合、検出不能が発生することになる。
【００９８】
このような場合が発生することを回避するために、第３信号制御抵抗（ＲＣ１、ＲＣ３、ＲＣ５）は、第１信号制御抵抗（ＲＡ１、ＲＡ３、ＲＡ５）や第２信号制御抵抗（ＲＢ２、ＲＢ４、ＲＢ６）と異なる抵抗値のものとする。
同様に、第４信号制御抵抗（ＲＤ２、ＲＤ４、ＲＤ５）についても、第１信号制御抵抗（ＲＡ１、ＲＡ３、ＲＡ５）、第２信号制御抵抗（ＲＢ２、ＲＢ４、ＲＢ６）及び第３信号制御抵抗（ＲＣ１、ＲＣ３、ＲＣ５）と異なる抵抗値のものとする。
【００９９】
また、図５２に示すように、第３のキースイッチ群（Ｃ＿ＳＷ１、Ｃ＿ＳＷ２、Ｃ＿ＳＷ３、Ｃ＿ＳＷ４、Ｃ＿ＳＷ５、Ｃ＿ＳＷ６）及び第４のキースイッチ群（Ｄ＿ＳＷ１、Ｄ＿ＳＷ２、Ｄ＿ＳＷ３、Ｄ＿ＳＷ４、Ｄ＿ＳＷ５、Ｄ＿ＳＷ６）のうち、同じキーリターン入力信号線（ＫＲ４）に接続された２つのキースイッチ（Ｃ＿ＳＷ４、Ｄ＿ＳＷ４）と、同じキーリターン入力信号線（ＫＲ４）に隣接しない別のキーリターン入力信号線（ＫＲ２）に接続されたキースイッチ（Ａ＿ＳＷ２、Ｂ＿ＳＷ２、Ｃ＿ＳＷ２、Ｄ＿ＳＷ２）であって先の２つのキースイッチ（Ｃ＿ＳＷ４、Ｄ＿ＳＷ４）が接続されるキースキャン出力信号線（スキャンラインＫＳ＿Ｃ、スキャンラインＫＳ＿Ｄ）に接続されている一方と他方のキースイッチ（Ｃ＿ＳＷ２、Ｄ＿ＳＷ２）のうちの一方のキースイッチ（Ｃ＿ＳＷ２）と、を経由する回り込みルート、及び、他方のキースイッチ（Ｄ＿ＳＷ２）だけを経由する通常ルートにおいては、回り込みルート上に１つの第４信号制御抵抗（ＲＤ４）が存在し、通常ルートに１つの第４信号制御抵抗（ＲＤ２）が存在しているだけのため、回り込みルートの全体での抵抗と通常ルートの全体での抵抗とが同じ抵抗値となり、検出不能を起こすことになる。
【０１００】
なお、本例では、回り込みルートも通常ルートも１つの第４信号制御抵抗だけが存在する場合になっているが、例えば、Ｃ＿ＳＷ３、Ｄ＿ＳＷ３、Ｄ＿ＳＷ５を同時押下した場合には、第３のキースキャン出力信号線（スキャンラインＫＳ＿Ｃ）をスキャンするときの回り込みルート（Ｃ＿ＳＷ３→Ｄ＿ＳＷ３→Ｄ＿ＳＷ５を経由するルート）及び通常ルート（Ｃ＿ＳＷ５）に、それぞれ１つの第３信号制御抵抗だけが存在する状態となり、検出不能を起こすことになる。
【０１０１】
このような特異な個所においては、回り込みルートの全体での抵抗と通常ルートの全体での抵抗値が異なる抵抗値となるように回り込みルート上及び通常ルート上に位置する第３信号制御抵抗及び第４信号制御抵抗の抵抗値を選択するようにすれば良い。
【０１０２】
以上のように、具体的に実施形態に基づいて説明してきた通り、外付け抵抗（信号制御抵抗）を上述のような配置とすることで、キースイッチの複数同時押下時の検出不能を回避できるとともに、必要とされる信号制御抵抗の数をキースイッチの数に対してほぼ半分の数に減らすことが可能である。
したがって、低コスト化が可能である通常のスイッチと外付け抵抗とを用いた構成でありながら、実装スペースの増加を大幅に抑制することができる。
また、検出不能を回避するために必要な信号制御抵抗の種類（抵抗値が異なる信号制御抵抗）も大幅に少なくて良いため、この点からも低コスト化が行い易い。
【０１０３】
以上、本発明の好ましい実施形態について詳述したが、本発明の技術的範囲は上記実施形態に記載の範囲には限定されないことは言うまでもない。
例えば、図５０に示した態様では、第３のキースイッチ群のうちのキースイッチＣ＿ＳＷ１、Ｃ＿ＳＷ３、Ｃ＿ＳＷ５のところに第３信号制御抵抗（ＲＣ１、ＲＣ３、ＲＣ５）を設け、第４のキースイッチ群のうちのキースイッチＤ＿ＳＷ２、Ｄ＿ＳＷ４、Ｄ＿ＳＷ６のところに第４信号制御抵抗（ＲＤ２、ＲＤ４、ＲＤ６）を設けるようにしているが、この関係は逆であっても良い。
【０１０４】
つまり、第３のキースイッチ群のうちのキースイッチＣ＿ＳＷ２、Ｃ＿ＳＷ４、Ｃ＿ＳＷ６のところに第３信号制御抵抗（ＲＣ２、ＲＣ４、ＲＣ６）を設け、第４のキースイッチ群のうちのキースイッチＤ＿ＳＷ１、Ｄ＿ＳＷ３、Ｄ＿ＳＷ５のところに第４信号制御抵抗（ＲＤ１、ＲＤ３、ＲＤ５）を設けるようにしても良い。
【０１０５】
さらに、上記第２実施形態では、キースキャン出力信号線を４つに拡張した場合について示したが、第４のキースキャン出力信号線（スキャンラインＫＳ＿Ｄ）を省略し、３つのスキャン出力信号線だけの状態としても良い。
【０１０６】
このように、本発明は、上記実施形態に限定されるものではなく、多様な変更または改良を加えることが可能であることが当業者には明らかであり、その様な変更または改良を加えた形態も本発明の技術的範囲に含まれ得ることが、特許請求の範囲の記載から明らかである。
【符号の説明】
【０１０７】
１０…キーマトリクス回路、１１…キーマトリクス部、１２…制御部、ＫＳ＿Ａ，ＫＳ＿Ｂ，ＫＳ＿Ｃ，ＫＳ＿Ｄ…スキャンライン（第１〜４のキースキャン出力信号線）、ＫＲ１〜ＫＲ６…リターンライン（キーリターン入力信号線）、Ａ＿ＳＷ１，Ａ＿ＳＷ２，Ａ＿ＳＷ３，Ａ＿ＳＷ４，Ａ＿ＳＷ５，Ａ＿ＳＷ６…キースイッチ（第１のキースイッチ群）、Ｂ＿ＳＷ１，Ｂ＿ＳＷ２，Ｂ＿ＳＷ３，Ｂ＿ＳＷ４，Ｂ＿ＳＷ５，Ｂ＿ＳＷ６…キースイッチ（第２のキースイッチ群）、Ｃ＿ＳＷ１，Ｃ＿ＳＷ２，Ｃ＿ＳＷ３，Ｃ＿ＳＷ４，Ｃ＿ＳＷ５，Ｃ＿ＳＷ６…キースイッチ（第３のキースイッチ群）、Ｄ＿ＳＷ１，Ｄ＿ＳＷ２，Ｄ＿ＳＷ３，Ｄ＿ＳＷ４，Ｄ＿ＳＷ５，Ｄ＿ＳＷ６…キースイッチ（第４のキースイッチ群）、ＲＡ１，ＲＡ２，ＲＡ３，ＲＡ４，ＲＡ５，ＲＡ６，ＲＢ２，ＲＢ３，ＲＢ４，ＲＢ５，ＲＢ６，ＲＣ１，ＲＣ３，ＲＣ５，ＲＤ２，ＲＤ４，ＲＤ５…信号制御抵抗（第１〜４信号制御抵抗）、Ｐ…接続点、Ｌ…配線（キースキャン信号線又はキーリターン信号線とスイッチとを接続する配線）
【図１】
0006690162.tif 000002
【図２】
0006690162.tif 000003
【図３】
0006690162.tif 000004
【図４】
0006690162.tif 000005
【図５】
0006690162.tif 000006
【図６】
0006690162.tif 000007
【図７】
0006690162.tif 000008
【図８】
0006690162.tif 000009
【図９】
0006690162.tif 000010
【図１０】
0006690162.tif 000011
【図１１】
0006690162.tif 000012
【図１２】
0006690162.tif 000013
【図１３】
0006690162.tif 000014
【図１４】
0006690162.tif 000015
【図１５】
0006690162.tif 000016
【図１６】
0006690162.tif 000017
【図１７】
0006690162.tif 000018
【図１８】
0006690162.tif 000019
【図１９】
0006690162.tif 000020
【図２０】
0006690162.tif 000021
【図２１】
0006690162.tif 000022
【図２２】
0006690162.tif 000023
【図２３】
0006690162.tif 000024
【図２４】
0006690162.tif 000025
【図２５】
0006690162.tif 000026
【図２６】
0006690162.tif 000027
【図２７】
0006690162.tif 000028
【図２８】
0006690162.tif 000029
【図２９】
0006690162.tif 000030
【図３０】
0006690162.tif 000031
【図３１】
0006690162.tif 000032
【図３２】
0006690162.tif 000033
【図３３】
0006690162.tif 000034
【図３４】
0006690162.tif 000035
【図３５】
0006690162.tif 000036
【図３６】
0006690162.tif 000037
【図３７】
0006690162.tif 000038
【図３８】
0006690162.tif 000039
【図３９】
0006690162.tif 000040
【図４０】
0006690162.tif 000041
【図４１】
0006690162.tif 000042
【図４２】
0006690162.tif 000043
【図４３】
0006690162.tif 000044
【図４４】
0006690162.tif 000045
【図４５】
0006690162.tif 000046
【図４６】
0006690162.tif 000047
【図４７】
0006690162.tif 000048
【図４８】
0006690162.tif 000049
【図４９】
0006690162.tif 000050
【図５０】
0006690162.tif 000051
【図５１】
0006690162.tif 000052
【図５２】
0006690162.tif 000053